【手続補正書】
【提出日】平成26年10月17日(2014.10.17)
【手続補正１】
【補正対象書類名】特許請求の範囲
【補正対象項目名】全文
【補正方法】変更
【補正の内容】
【特許請求の範囲】
【請求項１】
モバイル装置であって、
１つ又は複数の通信モデムであって、当該１つ又は複数の通信モデムのうちの少なくとも１つは、前記モバイル装置を無線広域ネットワークに接続するように構成された無線広域ネットワークモデムである、通信モデムと、
装置の通信活動ポリシーを記憶するように構成されたメモリと、
１つ又は複数のセキュアデータパス処理エージェントであって、
セキュア実行環境で実行し、
前記無線広域ネットワークモデムを通じて通信活動を監視し、
前記無線広域ネットワークモデムを通じた前記通信活動についての情報を含む装置データレコードを生成し、及び
前記１つ又は複数のセキュアデータパス処理エージェントとネットワーク要素との間の信頼性がある通信リンクを介して、前記装置データレコードを前記ネットワーク要素へ送信する、
ように構成された、１つ又は複数のセキュアデータパス処理エージェントと、
前記１つ又は複数のセキュアデータパス処理エージェントと前記無線広域ネットワークモデムとの間の信頼性があるデータパスと、
を具えることを特徴とする、モバイル装置。
【請求項２】
請求項１に記載のモバイル装置において、前記無線広域ネットワークモデムを通じた前記通信活動についての情報が、前記モバイル装置が前記装置の通信活動ポリシーを適宜実施しているか否かを示すことを特徴とする、モバイル装置。
【請求項３】
請求項１又は２に記載のモバイル装置において、前記信頼性がある通信リンクが、セキュアメッセージレシートフィードバックループを具えることを特徴とする、モバイル装置。
【請求項４】
請求項３に記載のモバイル装置において、前記１つ又は複数のセキュアデータパス処理エージェントが、更に、前記セキュアメッセージ受信フィードバックループからの情報に基づいて、前記無線広域ネットワークモデム又は前記１つ又は複数の通信モデムの中の別のモデムを通じた前記モバイル装置のデータ送信又はデータ受信を制限するように構成されていることを特徴とする、モバイル装置。
【請求項５】
請求項４に記載のモバイル装置において、前記無線広域ネットワークモデム又は前記１つ又は複数の通信モデムの中の別のモデムが、セキュアメッセージレシートフィードバックループエラー状況が存在する場合、前記モバイル装置にエラー処理命令を取得させることを特徴とする、モバイル装置。
【請求項６】
請求項１乃至５のいずれか１項に記載のモバイル装置が、前記ネットワーク要素から前記装置の通信活動ポリシーを取得する手段を更に具えることを特徴とする、モバイル装置。
【請求項７】
請求項１乃至６のいずれか１項に記載のモバイル装置において、前記通信活動についての情報が、前記無線広域ネットワークモデムを通じた通信活動の記録を含むことを特徴とする、モバイル装置。
【請求項８】
請求項１乃至７のいずれか１項に記載のモバイル装置において、前記装置の通信活動ポリシーが、アプリケーションを監視するポリシーを含むことを特徴とする、モバイル装置。
【請求項９】
請求項１乃至７のいずれか１項に記載のモバイル装置において、前記装置の通信活動ポリシーが、ネットワーク宛先、アドレス、又はリソースへのアクセスを監視するポリシーを含むことを特徴とする、モバイル装置。
【請求項１０】
請求項１乃至９のいずれか１項に記載のモバイル装置において、前記セキュア実行環境が、（ａ）アプリケーションプロセッサにより制御される、（ｂ）モデムプロセッサにより制御される、又は（ｃ）ＳＩＭカード上にある、ことを特徴とする、モバイル装置。
【請求項１１】
請求項１乃至９のいずれか１項に記載のモバイル装置において、前記セキュア実行環境及び前記１つ又は複数のセキュアデータパス処理エージェントが、オペレーティングシステム又はセキュア区画ソフトウェアにより制御されるセキュア実行区画内に配置されることを特徴とする、モバイル装置。
【請求項１２】
請求項１乃至１１のいずれか１項に記載のモバイル装置において、前記無線広域ネットワークがセルラーデータネットワークであり、前記通信活動についての情報が前記セルラーデータネットワークを介したサービス利用の記録を含むこと、を特徴とするモバイル装置。
【請求項１３】
請求項１乃至１２のいずれか１項に記載のモバイル装置において、前記無線広域ネットワークがセルラーデータネットワークであり、前記装置の通信活動ポリシーが、前記セルラーデータネットワークへのアクセスを制御するポリシーを含むこと、を特徴とするモバイル装置。
【請求項１４】
請求項１３に記載のモバイル装置において、
前記ポリシーが、
前記モバイル装置上で動作中又は動作可能な１つ又は複数のアプリケーションを制御する１つ又は複数の制御ポリシー、又は、
前記セルラーデータネットワークを介して前記モバイル装置にアクセス可能な、１つ又は複数のネットワーク宛先、アドレス、又はリソースへのアクセスを制御する１つ又は複数の制御ポリシー、
を含むことを特徴とする、モバイル装置。
【請求項１５】
請求項１３に記載のモバイル装置において、前記ポリシーが、ローミングネットワークを介した通信を制御するための制御ポリシーを含むことを特徴とする、モバイル装置。
【請求項１６】
請求項１乃至１５のいずれか１項に記載のモバイル装置において、前記無線広域ネットワークがセルラーデータネットワークであり、前記装置の通信活動ポリシーが、前記セルラーデータネットワークの利用の会計ポリシーを含むこと、を特徴とするモバイル装置。
【請求項１７】
請求項１６に記載のモバイル装置において、
前記ポリシーが、
前記セルラーデータネットワークの利用の会計ポリシー、
前記モバイル装置上で動作中の１つ又は複数のアプリケーションに関する会計ポリシー、又は、
前記セルラーデータネットワークを介して前記モバイル装置が利用可能な１つ又は複数のネットワーク宛先、アドレス、又はリソースに関する、前記セルラーデータネットワークの利用の会計ポリシー、
のうちの１つ又は複数の会計ポリシーを含むことを特徴とする、モバイル装置。
【請求項１８】
請求項１６に記載のモバイル装置において、前記ポリシーが、ローミングネットワークの利用会計の会計ポリシーを含むことを特徴とする、モバイル装置。
【請求項１９】
請求項１８に記載のモバイル装置において、
前記会計ポリシーが、
前記モバイル装置が、
装置ユーザからの前記ローミングネットワークに関連するアクセスネットワークサービスコストの承認又は支払い表示の要求、
前記装置ユーザが前記サービスコストの承認又は支払い表示を提供しない場合の、前記モバイル装置による前記ローミングネットワークへのアクセス制限、
を行うようモバイル装置を支援すること、
を特徴とするモバイル装置。
【請求項２０】
請求項１乃至１９のいずれか１項に記載のモバイル装置が、更に、前記装置のデータレコードに関連する情報を前記モバイル装置のユーザに提供するように構成された、１つ又は複数の通知エージェント、を具えることを特徴とする、モバイル装置。
【請求項２１】
請求項１乃至２０のいずれか１項に記載のモバイル装置において、前記１つ又は複数のセキュアデータパス処理エージェントの少なくとも一部が、不揮発性メモリの独立した区画に記憶され、当該１つ又は複数のセキュアデータパス処理エージェントの少なくとも一部の保証又は証明、を行うように構成された１つ又は複数の機能を更に具えること、を特徴とするモバイル装置。
【請求項２２】
請求項１乃至２０のいずれか１項に記載のモバイル装置が、署名、１つ又は複数のキー、証明書、又はハッシュに基づいて、前記１つ又は複数のセキュアデータパス処理エージェントの少なくとも一部を証明するように構成された、１つ又は複数の機能を更に具えること、を特徴とするモバイル装置。
【請求項２３】
請求項２２に記載のモバイル装置において、
前記１つ又は複数の機能が、
前記１つ又は複数のセキュアデータパス処理エージェントの少なくとも一部のダウンロード、
前記１つ又は複数のセキュアデータパス処理エージェントの少なくとも一部のインストール、又は、
前記１つ又は複数のセキュアデータパス処理エージェントの少なくとも一部のロード、
に関連して、当該１つ又は複数のセキュアデータパス処理エージェントの少なくとも一部を証明するように構成されていること、を特徴とするモバイル装置。
【請求項２４】
請求項１乃至２３のいずれか１項に記載のモバイル装置において、
前記１つ又は複数のセキュアデータパス処理エージェントが、更に、
前記信頼性がある通信リンクを介して前記ネットワーク要素が送信する通信を監視し、及び
前記信頼性がある通信リンクを介して前記装置データレコードを前記ネットワーク要素に送信した後の特定のイベントインターバル内に、前記信頼性がある通信リンクを介して送信された前記ネットワーク要素からの前記通信において、前記１つ又は複数のセキュアデータパス処理エージェントがセキュアメッセージレシートを検出していない場合に、前記無線広域ネットワークモデム又は他の１つ又は複数の通信モデムへのアクセスを制限する、
ように構成されていること特徴とする、モバイル装置。
【請求項２５】
請求項２４に記載のモバイル装置において、前記特定のイベントインターバルが、時間、送信したレコード数、又は前記ネットワーク要素との通信回数を含むことを特徴とするモバイル装置。
【請求項２６】
モバイル装置であって、
１つ又は複数の通信モデムであって、当該１つ又は複数の通信モデムのうちの少なくとも１つが、前記モバイル装置を無線広域ネットワークに接続するように構成された無線広域ネットワークモデムである、通信モデムと、
装置の通信活動ポリシーを記憶するように構成されたメモリと、
ＳＩＭカードであって、
セキュア実行環境で実行し、
前記無線広域ネットワークモデムを通じた通信活動を監視し、及び
前記通信活動の監視に基づいて前記装置の通信活動ポリシーの実行を支援する行動をとる、
ように構成された１つ又は複数のセキュアデータパス処理エージェント、を具えるＳＩＭカード、及び、
前記１つ又は複数のセキュアデータパス処理エージェントと前記無線広域ネットワークモデムとの間の信頼性があるデータパスと、
を具えることを特徴とするモバイル装置。
【請求項２７】
ネットワークシステムであって、
モバイル装置の通信活動ポリシーを記憶するように構成されたメモリと、
ポリシー検証プロセッサであって、
前記ネットワークシステムとモバイル装置上の装置データレコード生成器との間の信頼できる通信リンクを介しての装置データレコードの受信であって、
当該装置データレコードが、前記モバイル装置のデータ通信活動についての情報を含み、当該情報が、前記モバイル装置が前記モバイル装置の通信活動ポリシーに従って動作中であるか、又は動作していたか否かを判断するに当たり、前記ポリシー検証プロセッサを支援するように構成される、受信と、
前記装置データレコードの少なくとも一部に基づく判断であって、前記モバイル装置が前記モバイル装置の通信活動ポリシーに従って動作中であるか、又は動作していたか否かの判断、及び
前記モバイル装置が前記モバイル装置の通信活動ポリシーに従って動作していないか、又は動作していなかったと判断される場合に、エラー処理動作の開始、
を行うように構成されたポリシー検証プロセッサと、
を具えることを特徴とする、ネットワークシステム。